(57)【要約】【課題】本発明は、スクリュピースの外周に、二つ割状の第１、第２凹型を係合させて、スクリュピースをスクリュ軸から容易に引抜くことを目的とする。【解決手段】本発明によるスクリュピース引抜き治具及び方法は、スクリュ軸(20)に設けられたスクリュピース(22)の外面(22b)を転写して形成された二つ割の第１、第２凹型(31,32)の両方に吊り環(34)とワイヤフック掛け部(35)を設け、このワイヤフック掛け部(35)を用いてスクリュピース(22)をスクリュ軸(20)から引抜く構成と方法である。【選択図】図１
2011051314.tif 000002
【特許請求の範囲】
【請求項１】
スクリュ軸(20)に設けられ輪状突条(22a)を外周に有する円筒状のスクリュピース(22)の外面(22b)を転写して形成された二つ割の第１凹型(31)及び第２凹型(32)と、前記第１凹型(31)及び第２凹型(32)の両方に設けられた吊り環(34)及びワイヤフック掛け部(35)と、前記第１凹型(31)及び第２凹型(32)を締結するための締結手段(40)と、からなることを特徴とするスクリュピース引抜き治具。
【請求項２】
前記締結手段(40)は、前記第１凹型(31)の両側に形成された一対の第１長手状鍔部(36)と、前記第２凹型(32)の両側に形成された一対の第２長手状鍔部(37)と、前記第１長手状鍔部及び第２長手状鍔部(37)を固定するための締結ボルト(38)と、からなることを特徴とする請求項１記載のスクリュピース引抜き治具。
【請求項３】
前記締結手段(40)は、前記第１凹型(31)の両側に形成された一対の第１長手状鍔部(36)と、前記第２凹型(32)の両側に形成された一対の第２長手状鍔部(37)と、前記各第１長手状鍔部(36,36)の一方と前記各第２長手状鍔部(37,37)の一方とを接続するための蝶番と、前記各第１長手状鍔部(36,36)の他方と前記各第２長手状鍔部(37,37)の他方とを接続するための締結ボルト(38)と、からなることを特徴とする請求項１記載のスクリュピース引抜き治具。
【請求項４】
前記締結手段(40)は、前記第１凹型(31)の両側に形成された一対の第１長手状鍔部(36,36)と、前記第２凹型(32)の両側に形成された一対の第２長手状鍔部(37,37)と、前記各第１長手状鍔部(36,36)と前記各第２長手状鍔部(37,37)とを係合するための段部と、前記各第１長手状鍔部(36,36)と前記各長手状鍔部(37,37)とを結合するための一対のバンド部材又はクリップ部材と、からなることを特徴とする請求項１記載のスクリュピース引抜き治具。
【請求項５】
スクリュ軸(20)に設けられ輪状突条(22a)を外周に有する円筒状のスクリュピース(22)の外面(22b)を転写して形成された二つ割の第１凹型(31)及び第２凹型(32)と、前記第１凹型(31)及び第２凹型(32)の両方に設けられた吊り環(34)及びワイヤフック掛け部(35)と、前記第１凹型(31)及び第２凹型(32)を締結するための締結手段(40)と、からなるスクリュピース引抜き治具(30)を前記スクリュピース(22)の外周に係合させ、固定配置の前記スクリュ軸(20)に対して前記スクリュピース引抜き治具(30)を引くことにより、前記スクリュピース(22)が前記スクリュ軸(20)から引抜かれることを特徴とするスクリュピース引抜き方法。
【請求項６】
前記締結手段(40)は、前記第１凹型(31)の両側に形成された一対の第１長手状鍔部(36,36)と、前記第２凹型(32)の両側に形成された一対の第２長手状鍔部(37,37)と、前記第１長手状鍔部(36)及び第２長手状鍔部(37)を固定するための締結ボルト(38)と、からなることを特徴とする請求項４記載のスクリュピース引抜き方法。
【請求項７】
前記締結手段(40)は、前記第１凹型(31)の両側に形成された一対の第１長手状鍔部(36)と、前記第２凹型(32)の両側に形成された一対の第２長手状鍔部(37)と、前記各第１長手状鍔部(36,36)の一方と前記各第２長手状鍔部(37,37)の一方とを接続するための蝶番と、前記各第１長手状鍔部(36,36)の他方と前記各第２長手状鍔部(37,37)の他方とを接続するための締結ボルト(38)と、からなることを特徴とする請求項４記載のスクリュピース引抜き方法。
【請求項８】
前記締結手段(40)は、前記第１凹型(31)の両側に形成された一対の第１長手状鍔部(36,36)と、前記第２凹型(32)の両側に形成された一対の第２長手状鍔部(37,37)と、前記各第１長手状鍔部(36,36)と前記各第２長手状鍔部(37,37)とを係合するための段部と、前記各第１長手状鍔部(36,36)と前記各第２長手状鍔部(37,37)とを結合するための一対のバンド部材又はクリップ部材と、からなることを特徴とする請求項４記載のスクリュピース引抜き方法。
【発明の詳細な説明】
【技術分野】
【０００１】
本発明は、スクリュピース引抜き治具及び方法に関し、特に、スクリュピースの外周に、二つ割状の第１、第２凹型を係合させスクリュピースを引くことにより、容易にスクリュピースをスクリュ軸から引抜くための新規な改良に関する。
【背景技術】
【０００２】
従来、用いられいたこの種のスクリュを用いた各種押出機としては、例えば、後述の特許文献１及び２の構成を挙げることができる。
すなわち、特許文献１のスクリュ式押出機及びそのバレル交換方法においては、図７に示されるように、スクリュ式押出機１００のバレルハウジング４の下方に配設したレール２０上のローラ２１を用いて各バレル１及び１１を移動可能（分割バレル交換装置２２を構成）とし、バレル１及び１１の交換を容易に行うことができる構成である。
【０００３】
また、特許文献２の押出機のスクリュ引抜き方法及びその昇降装置においては、図８のａ，ｂに示されるように、第１段押出機１１に芯高さを同一としてＴ型配置で継ぎ合わされている第２段押出機１２のスクリュ１７を第１段押出機１１の上方を通過させて引抜くことにより、押出機のスクリュ引抜きのための工場建屋面積を必要とせず、かつ、スクリュ引抜き作業を容易とした構成であるが、何れも前述の図７及び図８の構成は、セグメント式スクリュの各スクリュピースを分解するための引抜き治具に関するものではなく、スクリュ式又はバレル式で引抜く装置に関するものであり、特許文献には、スクリュ軸からスクリュピースを引抜く方法に関する公報は存在していないようである。
【０００４】
また、スクリュピース分解を容易にするための装置として、有機分を除去する流動層式洗浄機（文献はなし）が市販されており、真空加熱炉の中で有機物を除去する装置であるが、廃プラスチックの溶融・熱分解が行われる二軸押出機用スクリュは、長尺のため大規模な設備が必要となり、現実的ではない。また、スクリュピースに付着する異物が有機物だけでなく、金属片等も含まれるため、スクリュピースの分解・引抜き前のスクリュの引抜き準備として利用するには不向きであった。
【０００５】
前述の従来構成では、いずれも、スクリュ軸からスクリュピースを引抜く方法や構成は開示されておらず、現場において、実際には、図５で示される方法でスクリュ軸からスクリュピースの引抜きが行われていた。
【０００６】
すなわち、図５に示されるように、長尺のスクリュ１７は一例として、スクリュ軸２０にフルフライトのスクリュピース２１及びニーディングディスクからなるスクリュピース２２を直列に積層させて構成され、このスクリュ１７をシリンダ（図示せず）から引抜いた後、火炎バーナー２３の炎２３ａで各スクリュピース２１，２２全体を加熱し、有機物の溶融・分解温度（２００℃〜４００℃程度）にまで均一に熱した後、上流側のスクリュピース２１のフライト２１ａにワイヤ２４を係止させてこのスクリュピース２１を固定し、引抜こうとする下流側のスクリュピース２２のニーディングディスクである輪状突条２２ａにワイヤ２５をかけて引抜き状態とする。
【０００７】
前述の状態で、前記ワイヤ２５を矢印Ａの方向に、ウィンチ等の重機による引き手段で引くと、スクリュピース２２がスクリュ軸２０から引抜かれ、新しい他のスクリュピース（図示せず）との交換等の作業をすることができる。
【先行技術文献】
【特許文献】
【０００８】
【特許文献１】特開２００６−２１８７６４号公報
【特許文献２】特開平９−２０７１９０号公報
【発明の概要】
【発明が解決しようとする課題】
【０００９】
従来のスクリュピース引抜き方法は、以上のように構成されていたため、次のような課題が存在していた。
すなわち、前述の図５のように、引抜く対象のスクリュピース２２の輪状突条２２ａにワイヤ２５を係合させるウィンチ等の重機を介してスクリュ軸２０から引抜く場合、図６で示されるように、シリンダ（図示せず）内で稼動していたスクリュ１７は混練工程時に側圧（サイドフォース）が作用してスクリュ軸２０が曲げを受けることにより、各スクリュピース２１，２２間には微小な隙間ｄが発生し、この隙間ｄ内に樹脂等の有機物が侵入して圧着され、この樹脂等の有機物が接着剤のように作用していた。
【００１０】
そのため、単にワイヤのみでスクリュピース２２を引くのみでは、この接着剤のようになった有機物のために、スクリュピース２２をスクリュ軸２０から簡単に引抜くことができず、スクリュピース２２の輪状突条２２ａに垂木３０を当ててハンマー３１等でこの輪状突条２２ａの円周上に均等に衝撃を与えて固着した有機物からスクリュピース２２を剥がしつつワイヤ２５で引くことにより、スクリュピース２２はスクリュ軸２０から少しづつ引抜くことができるが、この引抜き動作を何度も繰り返さなければならず、多大な工数を必要としていた。
また、ハンマー３１による衝撃力が適切でない場合（特に、過大に大きい場合）には、スクリュピースの破損と云う事故が発生する可能性もあった。
【課題を解決するための手段】
【００１１】
本発明によるスクリュピース引抜き治具は、スクリュ軸に設けられ輪状突条を外周に有する円筒状のスクリュピースの外面を転写して形成された二つ割の第１凹型及び第２凹型と、前記第１凹型及び第２凹型の両方に設けられた吊り環及びワイヤフック掛け部と、前記第１凹型及び第２凹型を締結するための締結手段と、からなる構成であり、また、前記締結手段は、前記第１凹型の両側に形成された一対の第１長手状鍔部と、前記第２凹型の両側に形成された一対の第２長手状鍔部と、前記第１長手状鍔部及び第２長手状鍔部を固定するための締結ボルトと、からなる構成であり、また、前記締結手段は、前記第１凹型の両側に形成された一対の第１長手状鍔部と、前記第２凹型の両側に形成された一対の第２長手状鍔部と、前記各第１長手状鍔部の一方と前記各第２長手状鍔部の一方とを接続するための蝶番と、前記各第１長手状鍔部の他方と前記各第２長手状鍔部の他方とを接続するための締結ボルトと、からなる構成であり、また、前記締結手段は、前記第１凹型の両側に形成された一対の第１長手状鍔部と、前記第２凹型の両側に形成された一対の第２長手状鍔部と、前記各第１長手状鍔部と前記各第２長手状鍔部とを係合するための段部と、前記各第１長手状鍔部と前記第２長手状鍔部とを結合するための一対のバンド部材又はクリップ部材と、からなる構成であり、また、本発明によるスクリュピース引抜き方法は、
スクリュ軸に設けられ輪状突条を外周に有する円筒状のスクリュピースの外面を転写して形成された二つ割の第１凹型及び第２凹型と、前記第１凹型及び第２凹型の両方に設けられた吊り環及びワイヤフック掛け部と、前記第１凹型及び第２凹型を締結するための締結手段と、からなるスクリュピース引抜き治具を前記スクリュピースの外周に係合させ、固定配置の前記スクリュ軸に対して前記スクリュピース引抜き治具を引くことにより、前記スクリュピースが前記スクリュ軸から引抜かれる方法であり、また、前記締結手段は、前記第１凹型の両側に形成された一対の第１長手状鍔部と、前記第２凹型の両側に形成された一対の第２長手状鍔部と、前記第１長手状鍔部及び第２長手状鍔部を固定するための締結ボルトと、からなる方法であり、また、前記締結手段は、前記第１凹型の両側に形成された一対の第１長手状鍔部と、前記第２凹型の両側に形成された一対の第２長手状鍔部と、前記各第１長手状鍔部の一方と前記各第２長手状鍔部の一方とを接続するための蝶番と、前記各第１長手状鍔部の他方と前記各第２長手状鍔部の他方とを接続するための締結ボルトと、からなる方法であり、また、前記締結手段は、前記第１凹型の両側に形成された一対の第１長手状鍔部と、前記第２凹型の両側に形成された一対の第２長手状鍔部と、前記各第１長手状鍔部と前記各第２長手状鍔部とを係合するための段部と、前記各第１長手状鍔部と前記各第２長手状鍔部とを結合するための一対のバンド部材又はクリップ部材と、からなる方法である。
【発明の効果】
【００１２】
本発明によるスクリュピース引抜き治具及び方法は、以上のように構成されているため、次のような効果を得ることができる。
すなわち、スクリュ軸に設けられ輪状突条を外周に有する円筒状のスクリュピースの外面を転写して形成された二つ割の第１凹型及び第２凹型と、前記第１凹型及び第２凹型の両方に設けられた吊り環及びワイヤフック掛け部と、前記第１凹型及び第２凹型を締結するための締結手段と、からなるスクリュピース引抜き治具を前記スクリュピースの外周に係合させ、固定配置の前記スクリュ軸に対して前記スクリュピース引抜き治具を引くことにより、前記スクリュピースが前記スクリュ軸から引抜かれることにより、従来のように、ハンマーを用いてスクリュピースをたたく必要もなく、極めて安全にかつ容易にスクリュピースをスクリュ軸から引抜くことができる。
また、前記締結手段は、前記第１凹型の両側に形成された一対の第１長手状鍔部と、前記第２凹型の両側に形成された一対の第２長手状鍔部と、前記第１長手状鍔部及び第２長手状鍔部を固定するための締結ボルトと、からなることにより、各凹型の固定を簡単に行うことができる。
また、前記締結手段は、前記第１凹型の両側に形成された一対の第１長手状鍔部と、前記第２凹型の両側に形成された一対の第２長手状鍔部と、前記各第１長手状鍔部の一方と前記各第２長手状鍔部の一方とを接続するための蝶番と、前記各第１長手状鍔部の他方と前記各第２長手状鍔部の他方とを接続するための締結ボルトと、からなることにより、蝶番を介してより一層簡単な着脱を行うことができる。
また、前記締結手段は、前記第１凹型の両側に形成された一対の第１長手状鍔部と、前記第２凹型の両側に形成された一対の第２長手状鍔部と、前記各第１長手状鍔部と前記各第２長手状鍔部とを係合するための段部と、前記各第１長手状鍔部と前記各第２長手状鍔部とを結合するための一対のバンド部材又はクリップ部材と、からなることにより、前述の蝶番を用いた各凹型の着脱と同様に、簡単な引抜き作業を行うことができる。
【図面の簡単な説明】
【００１３】
【図１】本発明によるスクリュピース引抜き治具を示す正面図である。
【図２】図１の側面図である。
【図３】本発明における引抜き対象のスクリュピースの一例を示す側面図である。
【図４】図３のスクリュピースに本発明のスクリュピース引抜き治具を装着した状態を示す断面図である。
【図５】従来のスクリュピース引抜き方法を示す説明図である。
【図６】従来のスクリュ軸上の各スクリュピースのスクリュ軸が曲がっている状態を示す説明図である。
【図７】従来のバレル交換方法を示す構成図である。
【図８】ａ，ｂは従来のスクリュ交換方法を示す構成図である。
【発明を実施するための形態】
【００１４】
本発明は、スクリュピースの外周に、二つ割状の第１、第２凹型を係合させてスクリュピースを引くことにより、容易にスクリュピースをスクリュ軸から引抜くようにしたスクリュピース引抜き治具及び方法を提供することを目的とする。
【実施例】
【００１５】
以下、図面と共に本発明によるスクリュピース引抜き治具及び方法の好適な実施の形態について説明する。
尚、従来例と同一又は同等部分には、同一符号を付して説明する。
図１において、符号３０で示されるものは、スクリュピース引抜き治具であり、このスクリュピース引抜き治具３０は、全体形状が半円筒状の凹状をなし長手形状の一対の第１、第２凹型３１，３２によって構成されている。
【００１６】
前記各凹型３１，３２は、円筒状の前記スクリュピース２２の外面２２ｂを転写（周知の方法）して形成された二つ割の構成で形成され、実際には、図３で示されるスクリュピース２２の外面２２ｂの形状を転写して仮型（図示せず）をつくり、この仮型に基づいて本型（図示せず）を作ることにより、前記各凹型３１，３２を形成している。
【００１７】
前記各凹型３１，３２は、図４に示されるように、前記スクリュピース２２の外面２２ｂに形成された複数のスクリュフライトからなる輪状突条２２ａの外周と位置が一致する複数の半円周状の凹溝３３を有しており、各凹型３１，３２をスクリュピース２２の外面２２ｂに装着すると、各凹溝３３内に各輪状突条２２ａが係合する。
【００１８】
前記各凹型３１，３２の直径方向の中央位置の外周には、図１、図２に示されるように、輪状をなす吊り環３４が設けられ、スクリュピース引抜き治具３０としては、１８０°対向位置に一対の前記吊り環３４が配設されている。
また、各凹型３１，３２の外周には、前記各吊り環３４に対応する状態で、突出形状の段部からなるワイヤフック掛け部３５が一対形成されている。
【００１９】
前記各凹型３１，３２の両側に形成されると共に、長手方向に沿って延設された一対の第１長手状鍔部３６及び一対の第２長手状鍔部３７が形成され、各凹型３１，３２を図１及び図２のようにスクリュピース２２の外周に装着した場合、前記各長手状鍔部３６，３７は互いに接触し、締結ボルト３８からなる締結手段３８によって一体状に締結することができる。
【００２０】
前述のように、各凹型３１，３２を引抜き対象のスクリュピース２２の外面２２ｂに一対の吊り環３４を介し、装着して締結手段３８で締結した後、各ワイヤフック掛け部３５に図示しないワイヤを掛けて重機等で引っ張りを与えることにより、被引抜きスクリュピース２２の各輪状突条２２ａにはほぼ均等に引張り力が作用する。
【００２１】
前記引張り力により、被引抜きスクリュピース２２はその上流で隣り合うスクリュピース２１の合わせ面及びスクリュ軸２０から侵入した有機固形物を剥離して引張り方向に移動し、引抜きが行われる。
【００２２】
また、前記締結手段４０は、各凹型３１，３２の両側を締結ボルト３８で締結する構造だけではなく、他の形態として、例えば、前記各凹型３１，３２の各第１長手状鍔部３６，３６の一方と前記各第２長手状鍔部３７，３７の一方とを接続するための蝶番（図示せず）と、前記各第１長手状鍔部３６，３６の他方と前記各第２長手状鍔部の他方とを接続するための締結ボルト３８と、の組み合わせとし、前記蝶番を用いて各凹型３１，３２を開閉自在としてスクリュピース２２の外周に装着することができる構成とすることもできる。
【００２３】
また、前記締結手段４０の他の形態として、一対の前記第１長手状鍔部３６，３６と、一対の前記第２長手状鍔部３７，３７と、前記各第１長手状鍔部３６，３６と各第２長手状鍔部３７，３７とを係合させるための段部（図示せず）と、前記各第１長手状鍔部３６，３６と各第２長手状鍔部３７，３７とを結合するための一対のバンド部材又はクリップ部材（図示せず）と、からなる構成とすることもできる。
尚、前述の場合、スクリュピース引抜き治具３０をニーディングディスクからなる輪状突条２２ａを有するスクリュピース２２に装着して引抜いた場合について述べたが、通常のフルフライトのフライト２１ａを有するスクリュピース２１の場合についても第１、第２凹型３１，３２が適用できることは述べるまでもないことである。
【産業上の利用可能性】
【００２４】
本発明によるスクリュピース引抜き治具及び方法は、スクリュピースの引抜きのみならず、地中等に打込まれた建築用等の各種棒状部材の引抜き等に利用可能である。
【符号の説明】
【００２５】
２０    スクリュ軸
２２    スクリュピース
２２ａ    輪状突条（ニーディングディスク）
３０    スクリュピース引抜き治具
３１    第１凹型
３２    第２凹型
３４    吊り環
３５    ワイヤフック掛け部
３６    第１長手状鍔部
３７    第２長手状鍔部
３８    締結ボルト
４０    締結手段
【図１】
2011051314.tif 000003
【図２】
2011051314.tif 000004
【図３】
2011051314.tif 000005
【図４】
2011051314.tif 000006
【図５】
2011051314.tif 000007
【図６】
2011051314.tif 000008
【図７】
2011051314.tif 000009
【図８】
2011051314.tif 000010